(57)【要約】【課題】基礎型枠内のベタ基礎ベース部上に雨水等が溜まった場合に、基礎型枠の解体を行うことなく外部へ簡単に排水可能な型枠パネルを提供する。【解決手段】外コーナーパネル１は、コンクリートのベタ基礎工事において設置される基礎型枠Ｋを構成する型枠パネルであって、コンクリートに接する内側面１１及びその反対側の外側面１２を有し、少なくとも一部がベタ基礎のベース部Ｂ天端高さに対応する位置で内側面１１と外側面１２との間を貫通する水抜き孔１３が設けられる面板部１０と、水抜き孔１３を開閉する開閉部としてのガイド部１４及び開閉板３０とを備える。【選択図】図１
2019039243.tif 000002
【特許請求の範囲】
【請求項１】
コンクリートのベタ基礎工事において設置される基礎型枠（Ｋ）を構成する型枠パネルであって、
コンクリートに接する内側面（１１、１１１）及びその反対側の外側面（１２、１１２）を有し、少なくとも一部がベタ基礎のベース部（Ｂ）天端高さに対応する位置で前記内側面と前記外側面との間を貫通する水抜き孔（１３、１１３）が設けられる面板部（１０、１１０）と、
前記水抜き孔を開閉する開閉部と、
を備える型枠パネル。
【請求項２】
前記開閉部は、平板状を有する開閉板（３０、３０’、３０’’、１３０、１３０’、１３０’’）と、前記開閉板を前記面板部の外側面において前記水抜き孔を開閉可能に支持する支持部（１４、１６、１１９）とを備えて構成される請求項１に記載の型枠パネル。
【請求項３】
前記支持部（１４、１１９）は、前記水抜き孔を開く開位置と前記水抜き孔を閉じる閉位置との間で前記開閉板をスライド可能に支持する請求項２に記載の型枠パネル。
【請求項４】
前記支持部（１６、１１９）は、前記水抜き孔を開く開位置と前記水抜き孔を閉じる閉位置との間で前記開閉板を回動可能に支持する請求項２に記載の型枠パネル。
【請求項５】
前記開閉板は、前記閉位置において前記水抜き孔に嵌合して前記面板部の内側面と面一をなす段部（３６、１３６）を備える請求項２乃至４の何れか一項に記載の型枠パネル。
【請求項６】
前記開閉部は、前記水抜き孔と同軸の雌ネジ部（１５、１１５）と、前記面板部の外側面側から前記雌ネジ部に着脱自在に螺合される雄ネジ部（３５、１３５）とを備えて構成される請求項１に記載の型枠パネル。
【請求項７】
前記雄ネジ部は、前記雌ネジ部に螺合された足部（３５ａ、１３５ａ）の先端を前記面板部の内側面と面一になるように位置決め可能である請求項６に記載の型枠パネル。
【請求項８】
前記ベタ基礎の外周外角部（Ｇ）を形成する外角部用型枠パネル（１、１’、１’’、２）である請求項１乃至７の何れか一項に記載の型枠パネル。
【請求項９】
前記ベタ基礎の外周内角部（Ｎ）を形成する内角部用型枠パネル（２０１）である請求項１乃至７の何れか一項に記載の型枠パネル。
【請求項１０】
前記ベタ基礎の外周側辺部（Ｓ）を形成する側辺部用型枠パネル（１０１、１０１’、１０１’’、１０２）である請求項１乃至７の何れか一項に記載の型枠パネル。
【発明の詳細な説明】
【技術分野】
【０００１】
本発明は、コンクリートのベタ基礎工事において基礎型枠を構成する型枠パネルに関する。
【背景技術】
【０００２】
従来、住宅建築の基礎工事においては、ベタ基礎工法と称される工法が広く行われている（例えば、特許文献１等参照）。ベタ基礎工法では、まず、基礎が配置される部分の地面に砂利を敷き詰めて突き固め、捨てコンクリートを打設する。続いて、配筋工事を行い、外周に複数の型枠パネルからなる基礎型枠を設置し、コンクリートを打設してベタ基礎のベース部を形成する。ベース部の養生後、外周の基礎型枠と平行に内周側に基礎型枠を設置し、コンクリートを打設して布基礎を形成し、養生後に基礎型枠を除去する。
【先行技術文献】
【特許文献】
【０００３】
【特許文献１】特開２００８−１１５６２９号公報
【発明の概要】
【発明が解決しようとする課題】
【０００４】
しかしながら、基礎型枠に用いる鋼製型枠は一般的に孔が開けられることが無く水を遮蔽するので、ベタ基礎ベース部のコンクリート打設後の養生期間中に雨が降った場合、基礎型枠で囲まれたベタ基礎ベース部に雨水が溜まってプールのようになることがある。養生中のコンクリート上に水が溜まった状態が長時間継続することは、基礎の仕上がりに悪影響を及ぼす可能性があるため、従来、ポンプを使って排水が行われている。ところが、ポンプの吸い込み口はベース部上面から数ｃｍ上方に位置するため、吸い込み口よりも下の水は吸い込むことができず、数ｃｍ程度の深さ分の水は排出されずに残ってしまう。そのため、基礎型枠の一部を解体して外部へ排水した後、解体した基礎型枠を再度組み直すことが行われている。より詳細には、基礎型枠は、複数の型枠パネルと、隣り合う型枠パネル同士を連結する連結用金具と、連結された型枠パネルの外側面に取り付けられる補強用の鋼管と、鋼管を支持するサポートとを含む複数の部材から構成されており、これら各部材を全て取り外して排水を行い、その後、各部材を組み直すという作業が必要となる。このため、排水に伴う一連の作業は、半日近い長時間を要することにならざるを得ない。また、コンクリートに接する型枠パネルを養生期間中に一旦取り除くことでコンクリートに悪影響が生じる可能性があると共に、型枠パネルの再組み付けの際に通りの調整が必要となる。従って、排水に伴う作業負担の軽減と工数の低減を図ることが望まれるという課題がある。
【０００５】
本発明は、上述した課題に鑑みてなされたものであり、基礎型枠内のベタ基礎ベース部上に雨水等が溜まった場合に、基礎型枠の解体を行うことなく外部へ簡単に排水可能な型枠パネルを提供することを目的とする。
【課題を解決するための手段】
【０００６】
上記目的を達成するためになされた請求項１に記載の発明は、コンクリートのベタ基礎工事において設置される基礎型枠（Ｋ）を構成する型枠パネルであって、コンクリートに接する内側面（１１、１１１）及びその反対側の外側面（１２、１１２）を有し、少なくとも一部がベタ基礎のベース部（Ｂ）天端高さに対応する位置で前記内側面と前記外側面との間を貫通する水抜き孔（１３、１１３）が設けられる面板部（１０、１１０）と、前記水抜き孔を開閉する開閉部と、を備える。
【０００７】
この構成によれば、開閉部により水抜き孔を閉じた状態で基礎型枠内にコンクリートを流し込むことにより、水抜き孔からコンクリートが漏れ出すことなくベタ基礎ベース部のコンクリート成形を行うことができる。ベタ基礎ベース部の打設後、降雨等のため基礎型枠内に水が溜まった場合、開閉部により水抜き孔を開くと、少なくとも一部がベタ基礎ベース部の天端高さに対応する位置で内側面と外側面との間を貫通する水抜き孔を介して外部へ水が排出される。従って、基礎型枠内のベタ基礎ベース部上に雨水等が溜まった場合に、基礎型枠の解体を行うことなく外部へ簡単に排水可能であるという効果を奏する。尚、「少なくとも一部がベタ基礎のベース部（Ｂ）天端高さに対応する位置で前記内側面と前記外側面との間を貫通する水抜き孔」とは、上下に長い水抜き孔の一部をベタ基礎ベース部天端高さに位置させる態様や、高さ位置の異なる複数の水抜き孔のいずれかをベタ基礎ベース部天端高さに位置させる態様などを意味する。
【０００８】
請求項２に記載の発明は、前記開閉部は、平板状を有する開閉板（３０、３０’、３０’’、１３０、１３０’、１３０’’）と、前記開閉板を前記面板部の外側面において前記水抜き孔を開閉可能に支持する支持部（１４、１６、１１９）とを備えて構成される。
【０００９】
この構成によれば、面板部の外側面において開閉板により水抜き孔を閉じた状態で、ベタ基礎ベース部のコンクリート成形を行うことができる。一方、基礎型枠内に水が溜まった場合、面板部の外側面において開閉板により水抜き孔を開くことにより、基礎型枠内の水を外部へ排出することができる。
【００１０】
請求項３に記載の発明は、前記支持部（１４、１１９）は、前記水抜き孔を開く開位置と前記水抜き孔を閉じる閉位置との間で前記開閉板をスライド可能に支持する。
【００１１】
この構成によれば、開閉板が、面板部の外側面において支持部によってスライド可能に支持されているので、開閉板を閉位置にスライドさせて水抜き孔を閉じた状態で、ベタ基礎ベース部のコンクリート成形を行うことができる。一方、基礎型枠内に水が溜まった場合、面板部の外側面において開閉板を開位置にスライドさせて水抜き孔を開くことにより、基礎型枠内の水を外部へ排出することができる。
【００１２】
請求項４に記載の発明は、前記支持部（１６、１１９）は、前記水抜き孔を開く開位置と前記水抜き孔を閉じる閉位置との間で前記開閉板を回動可能に支持する。
【００１３】
この構成によれば、開閉板が、面板部の外側面において支持部によって回動可能に支持されているので、開閉板を閉位置に回動させて水抜き孔を閉じた状態で、ベタ基礎ベース部のコンクリート成形を行うことができる。一方、基礎型枠内に水が溜まった場合、面板部の外側面において開閉板を開位置に回動させて水抜き孔を開くことにより、基礎型枠内の水を外部へ排出することができる。
【００１４】
請求項５に記載の発明は、前記開閉板は、前記閉位置において前記水抜き孔に嵌合して前記面板部の内側面と面一をなす段部（３６、１３６）を備える。
【００１５】
この構成によれば、開閉板の段部が閉位置において水抜き孔に嵌合して面板部の内側面と面一をなすので、ベース部の外周面に水抜き孔による突起状の成形痕が残ることがない。
【００１６】
請求項６に記載の発明は、前記開閉部は、前記水抜き孔と同軸の雌ネジ部（１５、１１５）と、前記面板部の外側面側から前記雌ネジ部に着脱自在に螺合される雄ネジ部（３５、１３５）とを備えて構成される。
【００１７】
この構成によれば、雄ネジ部を面板部の外側面側から雌ネジ部に螺合して水抜き孔を閉じた状態で、ベタ基礎ベース部のコンクリート成形を行うことができる。一方、基礎型枠内に水が溜まった場合、面板部の外側面において雌ネジ部から雄ネジ部を外して水抜き孔を開くことにより、基礎型枠内の水を外部へ排出することができる。
【００１８】
請求項７に記載の発明は、前記雄ネジ部は、前記雌ネジ部に螺合された足部（３５ａ、１３５ａ）の先端を前記面板部の内側面と面一になるように位置決め可能である。
【００１９】
この構成によれば、雄ネジ部は、雌ネジ部に螺合された足部の先端が面板部の内側面と面一をなすので、ベース部の外周面に水抜き孔による突起状の成形痕が残ることがない。
【００２０】
請求項８に記載の発明は、前記ベタ基礎の外周外角部（Ｇ）を形成する外角部用型枠パネル（１、１’、１’’、２）である。
【００２１】
この構成によれば、基礎型枠内に溜まった水を、ベタ基礎ベース部の中央部よりも天端が低い外周外角部から外部へ排出するので、基礎型枠内に水を残留させることなく排出することができる。
【００２２】
請求項９に記載の発明は、前記ベタ基礎の外周内角部（Ｎ）を形成する内角部用型枠パネル（２０１）である。
【００２３】
この構成によれば、基礎型枠内に溜まった水を、ベタ基礎ベース部の中央部よりも天端が低い外周内角部から外部へ排出するので、基礎型枠内に水を残留させることなく排出することができる。
【００２４】
請求項１０に記載の発明は、前記ベタ基礎の外周側辺部（Ｓ）を形成する側辺部用型枠パネル（１０１、１０１’、１０１’’、１０２）である。
【００２５】
この構成によれば、基礎型枠内に溜まった水を、ベタ基礎ベース部の中央部よりも天端が低い外周側辺部から外部へ排出するので、基礎型枠内に水を残留させることなく排出することができる。
【図面の簡単な説明】
【００２６】
【図１】本発明の第１実施形態の外コーナーパネルを示す斜視図である。
【図２】図１の外コーナーパネルを用いた基礎型枠において開閉板を閉位置にスライドさせた状態を示す斜視図である。
【図３】図２の基礎型枠において開閉板を開位置にスライドさせた状態を示す斜視図である。
【図４】図２の基礎型枠を示す平面図である。
【図５】図４の基礎型枠におけるＶ−Ｖ線矢視方向の断面図である。
【図６】図５の基礎型枠においてベース部に水が溜まった状態を示す断面図である。
【図７】図５の基礎型枠において開閉板を開位置にスライドさせて水抜き孔より水が排出される様子を示す断面図である。
【図８】第２実施形態の外コーナーパネルを示す斜視図である。
【図９】図８の外コーナーパネルを用いた基礎型枠における図５相当の断面図である。
【図１０】図９の基礎型枠において一部のボルトを外して水抜き孔より水が排出される様子を示す断面図である。
【図１１】第１実施形態の第１変形例の外コーナーパネルを示す斜視図であり、開閉板を閉位置でロックした状態を示している。
【図１２】図１１の外コーナーパネルにおいて開閉板を開位置へ回動させた状態を示す斜視図である。
【図１３】図１１の外コーナーパネルを用いた基礎型枠における図５相当の断面図である。
【図１４】図１２の基礎型枠において開閉枠を開位置に回動させて水抜き孔より水が排出される様子を示す断面図である。
【図１５】第１実施形態の第２変形例の外コーナーパネルを示す斜視図であり、開閉板を外コーナーパネルへ装着する様子を示している。
【図１６】図１５における開閉板をＸＶＩ矢視方向にて示す斜視図である。
【図１７】図１５の基礎型枠においてベース部に水が溜まった状態を示す断面図である。
【図１８】図１７の基礎型枠において開閉板を引き抜いて開位置とし、水抜き孔より水が排出される様子を示す断面図である。
【図１９】第３実施形態の側辺部用型枠パネルを示す正面図である。
【図２０】第３実施形態の側辺部用型枠パネルを用いた基礎型枠を示す斜視図である。
【図２１】第４実施形態の側辺部用型枠パネルを用いた基礎型枠を示す斜視図である。
【図２２】第３実施形態の第１変形例の側辺部用型枠パネルを用いた基礎型枠を示す斜視図である。
【図２３】第３実施形態の第２変形例の側辺部用型枠パネルを用いた基礎型枠を示す斜視図である。
【図２４】図２３におけるＸＸＩＶ−ＸＸＩＶ線矢視方向の断面図である。
【図２５】第５実施形態の内コーナーパネルにおいて開閉板を開位置にスライドさせた状態を示す斜視図である。
【図２６】図２５の内コーナーパネルを用いた基礎型枠を示す斜視図である。
【図２７】基礎型枠の一例の全体構成を模式的に示す平面図である。
【発明を実施するための形態】
【００２７】
［第１実施形態］
以下、本発明の型枠パネルを具体化した各実施形態について図面を参照しつつ説明する。最初に、本発明の第１実施形態の外コーナーパネル１について、図１乃至図７及び図２７を参照しつつ説明する。図１は第１実施形態における基礎型枠Ｋの外周外角部の周辺を示す斜視図、図２は外コーナーパネル１を用いた基礎型枠Ｋにおいて開閉板３０を閉位置にスライドさせた状態を示す斜視図、図３は同じく開閉板３０を開位置にスライドさせた状態を示す斜視図、図４は基礎型枠Ｋを示す平面図、図５は基礎型枠ＫにおけるＶ−Ｖ線矢視方向の断面図、図６は基礎型枠Ｋにおいてベース部Ｂに水が溜まった状態を示す断面図、図７は基礎型枠Ｋにおいて開閉板３０を開位置にスライドさせて水抜き孔１３より水が排出される様子を示す断面図、図２７は基礎型枠Ｋの一例の全体構成を模式的に示す平面図である。
【００２８】
外コーナーパネル１は、コンクリートのベタ基礎工事において基礎型枠を構成する型枠パネルの一種であって、図２７に示すように、基礎型枠Ｋの外周において外側に凸となる角部（出隅部）である外周外角部Ｇに配置される外角部用の型枠パネルである。外コーナーパネル１は、図１等に示すように、コンクリートを成形するための面板部１０と、隣接する側辺部用型枠パネルＢＰとの連結を図るための連結部２０，２０と、開閉板３０とを備えて構成される。尚、面板部１０と連結部２０，２０とは、１枚の長方形状の鋼板を素材として曲げ加工を施すことにより一体的に形成されている。
【００２９】
面板部１０は、外コーナーパネル１の横方向中央部分であって、ベタ基礎外周外角部の形状に合わせて曲げ加工が施されている。面板部１０は、図４に示すように、横方向中心を挟む左右両側を内側へ直角に折り曲げて平面視Ｌ字形に形成されている。面板部１０は、コンクリートに接する内側面１１と、その反対側の外側面１２とを有している。面板部１０には、少なくとも一部がコンクリートベタ基礎のベース部Ｂ天端高さに対応する位置で内側面１１と外側面１２との間を貫通する水抜き孔１３が形成されている。より具体的には、水抜き孔１３は上下に長い長円状を呈する開口であって、面板部１０下端から２００ｍｍ〜３５０ｍｍの高さに上下１００ｍｍ〜１５０ｍｍの長さで形成されている。例えば、ベース部Ｂ天端高さが面板部１０下端から２５０ｍｍの場合、水抜き孔１３は面板部１０下端から２００ｍｍの高さ位置を下端として上下に１００ｍｍの長さで形成してもよい。尚、「少なくとも一部がベタ基礎のベース部（Ｂ）天端高さに対応する位置で内側面１１と外側面１２との間を貫通する水抜き孔１３」は、図１等に示すような上下に長い水抜き孔１３の一部をベタ基礎ベース部Ｂ天端高さに位置させる態様に限られず、高さ位置の異なる複数の水抜き孔１３のいずれかをベタ基礎ベース部Ｂ天端高さに位置させる態様としてもよい。また、水抜き孔１３の長さや位置は、外コーナーパネル１のサイズやベース部Ｂ天端高さに応じて適宜設定される。
【００３０】
また、面板部１０の外側面１２には、水抜き孔１３を挟む左右両側に上下に細長い板状のガイド部１４が設けられている。ガイド部１４は、平面視で僅かに湾曲しており、水抜き孔１３とは反対側の側端１４ｃから下端１４ｂにかけて溶接されて面板部１０の外側面１２に固定されている。このため、ガイド部１４と外側面１２との間には、下端１４ｂ及び水抜き孔１３とは反対側の側端１４ｃが閉塞され、上端１４ａ及び水抜き孔１３側の側端１４ｄとが開口する上下に長い隙間１４ｓが形成されている。
【００３１】
連結部２０は、面板部１０の横方向両側で外側へ直角に折り曲げられて形成されている。連結部２０には、上下方向の複数箇所に連結孔２１が形成されている。連結孔２１と側辺部用型枠パネルＢＰ側の連結孔と位置合わせし、Ｌ字状の連結用金具４０を挿通して締結部材で締結することで、外コーナーパネル１と側辺部用型枠パネルＢＰとの連結が図られる。
【００３２】
開閉板３０は、水抜き孔１３を面板部１０の外側面１２側から開閉する部材であり、この開閉板３０と上述したガイド部１４とで本発明の開閉部を構成している。開閉板３０は、上下に長い長方形状の鋼板を折り曲げ加工してなり、長方形板状の本体部３１と、本体部３１上方で外側へ直角に折り曲げられた取っ手部３２とを有している。開閉板３０は、取っ手部３２を手で持ち、ガイド部１４の隙間１４ｓへ本体部３１を上方から差し込むことによって面板部１０の外側面１２に装着される。隙間１４ｓは、開閉板３０の厚みとほぼ同等の隙間をなしている。本体部３１を隙間１４ｓへ差し込んで上下方向にスライドさせることによってガイド部１４内面と外側面１２とで本体部３１が挟持されるので、開閉板３０はスライドした位置に保持される。尚、取っ手部３２は、下方へスライドした場合にガイド部１４の上端に当接することによって、開閉板３０のスライド下限位置を規定する役割を有するようにしてもよい。
【００３３】
次に、外コーナーパネル１を含んで構成される基礎型枠Ｋを用いてコンクリートのベタ基礎工事を行う場合の各部の作用について説明する。基礎型枠Ｋは、図２に示すように、外コーナーパネル１が側辺部用型枠パネルＢＰと連結用金具４０によって連結されている。開閉板３０は、ガイド１４の隙間１４ｓへ本体部３１が差し込まれ、下限までスライドされている。このため、水抜き孔１３は、外側面１２側が開閉板３０によって閉じられている。
【００３４】
そして、基礎型枠Ｋ内へコンクリートの流し込みが行われ、図５に示すように、ベタ基礎ベース部Ｂが形成される。水抜き孔１３は外側面１２側が開閉板３０によって閉じられているので、コンクリートが水抜き孔１３から外部へ流出することはない。尚、図５乃至図７の断面図において、連結部２０に設けられる連結孔２１や連結用金具４０の図示を省略している。
【００３５】
図５に示すベース部Ｂの養生期間中に降雨等があった場合、図６に示すように、基礎型枠Ｋ内に水が溜まることがある。作業者は、図３に示すように、取っ手部３２を手で持って開閉板３０を上方の開位置へスライドさせる。すると、図７に示すように、本体部３１によって閉じられていた水抜き孔１３が開かれ、基礎型枠Ｋ内に溜まった水が水抜き孔１３を通して外部へ排出される。
【００３６】
以上詳述したことから明らかなように、本実施形態の外コーナーパネル１は、コンクリートのベタ基礎工事において設置される基礎型枠Ｋを構成する型枠パネルであって、コンクリートに接する内側面１１及びその反対側の外側面１２を有し、少なくとも一部がベタ基礎のベース部Ｂ天端高さに対応する位置で内側面１１と外側面１２との間を貫通する水抜き孔１３が設けられる面板部１０と、水抜き孔１３を開閉する開閉部としてのガイド部１４及び開閉板３０とを備える。
【００３７】
この構成によれば、開閉板３０により水抜き孔１３を閉じた状態で基礎型枠Ｋ内にコンクリートを流し込むことにより、水抜き孔１３からコンクリートが漏れ出すことなくベタ基礎ベース部Ｂのコンクリート成形を行うことができる。ベタ基礎ベース部Ｂの打設後、降雨等のため基礎型枠Ｋ内に水が溜まった場合、開閉板３０により水抜き孔１３を開くと、少なくとも一部がベタ基礎ベース部Ｂの天端高さに対応する位置で内側面１１と外側面１２との間を貫通する水抜き孔１３を介して外部へ水が排出される。従って、基礎型枠Ｋ内のベタ基礎ベース部Ｂ上に雨水等が溜まった場合に、基礎型枠Ｋの解体を行うことなく外部へ簡単に排水可能であるという効果を奏する。
【００３８】
特に、水抜き孔１３を開閉するための開閉部は、平板状を有する開閉板３０と、開閉板３０を面板部１０の外側面１２において水抜き孔１３を開閉可能に支持する支持部としてのガイド部１４とを備えて構成される。
【００３９】
この構成によれば、面板部１０の外側面１２において開閉板３０により水抜き孔１３を閉じた状態で、ベタ基礎ベース部Ｂのコンクリート成形を行うことができる。一方、基礎型枠Ｋ内に水が溜まった場合、面板部１０の外側面１２において開閉板３０により水抜き孔１３を開くことにより、基礎型枠Ｋ内の水を外部へ排出することができる。
【００４０】
また、支持部としてのガイド部１４は、水抜き孔１３を開く開位置と水抜き孔１３を閉じる閉位置との間で開閉板３０をスライド可能に支持する。
【００４１】
この構成によれば、開閉板３０が、面板部１０の外側面１２においてガイド部１４によってスライド可能に支持されているので、開閉板３０を閉位置にスライドさせて水抜き孔１３を閉じた状態で、ベタ基礎ベース部Ｂのコンクリート成形を行うことができる（図２、図５参照）。一方、基礎型枠Ｋ内に水が溜まった場合、面板部１０の外側面１２において開閉板３０を開位置にスライドさせて水抜き孔１３を開くことにより、基礎型枠Ｋ内の水を外部へ排出することができる（図３、図６、図７参照）。
【００４２】
また、外コーナーパネル１は、ベタ基礎の外周外角部を形成する外角部用型枠パネルである。この構成によれば、基礎型枠Ｋ内に溜まった水を、ベタ基礎ベース部Ｂの中央部よりも天端が低い外周外角部から外部へ排出するので、基礎型枠Ｋ内に水を残留させることなく排出することができる。尚、基礎型枠には、通常、４か所以上の外周外角部が存在するため、角部用型枠パネルに本発明の水抜き構造を設けることで排水に対応可能である。
【００４３】
［第２実施形態］
次に、本発明の第２実施形態である外コーナーパネル２について、図８乃至図１０を参照しつつ説明する。第１実施形態では、水抜き孔１３を開閉するための開閉部を開閉板３０とガイド部１４とで構成した例を示したが、本実施形態は、開閉部をボルト３５とナット１５とで構成したことを特徴としている。図８は、第２実施形態の外コーナーパネル２を示す斜視図、図９は外コーナーパネル２を用いた基礎型枠Ｋにおける図５相当の断面図、図１０は図９の基礎型枠Ｋにおいて一部のボルト３５を外して水抜き孔１３より水が排出される様子を示す断面図である。
【００４４】
本実施形態では、面板部１０において、内側面１１と外側面１２とを貫通する丸穴である複数の水抜き孔１３が、ベース部Ｂの天端高さに対応する範囲内で互いに異なる高さ位置に設けられている。そして、水抜き孔１３を開閉する開閉部は、面板部１０の外側面１２に水抜き孔１３と同軸で溶接等により固定されたナット１５と、面板部１０の外側面１２側からナット１５に着脱自在に螺合されるボルト３５とを備えて構成される。
【００４５】
水抜き孔１３とナット１５の穴径とは、ほぼ同一径である。また、ボルト３５の足部３５ａの長さは、面板部１０の厚さとナット１５の長さとの和に等しい。従って、ボルト３５をナット１５に螺合すると、足部３５ａ先端が内側面１１と面一になる。
【００４６】
次に、外コーナーパネル２を含んで構成される基礎型枠Ｋを用いてコンクリートのベタ基礎工事を行う場合の各部の作用について説明する。図９に示すように、すべてのボルト３５が、各々に対応するナット１５に螺合され、すべての水抜き孔１３がボルト３５によって閉じられている。
【００４７】
そして、基礎型枠Ｋ内へコンクリートの流し込みが行われ、図９に示すように、ベタ基礎ベース部Ｂが形成される。水抜き孔１３は外側面１２側がボルト３５によって閉じられているので、コンクリートが水抜き孔１３から外部へ流出することはない。
【００４８】
図９に示すベース部Ｂの養生期間中に降雨等があった場合、基礎型枠Ｋ内に水が溜まることがある。ベース部Ｂの天端面近傍に位置する上から２番目のボルト３５をナット１５から外すと、図１０に示すように、ボルト３５によって閉じられていた水抜き孔１３が開かれ、基礎型枠Ｋ内に溜まった水が水抜き孔１３を通して外部へ排出される。尚、ベース部Ｂの天端面が、上から１番目のボルト３５近傍であるときは当該ボルト３５を、３番目のボルト３５近傍であるときは当該ボルト３５をそれぞれ外して排水することができる。すなわち、複数の水抜き孔１３が異なる高さ位置に設けられ、各々にナット１５とボルト３５とが設けられているため、ベース部Ｂの天端面に応じてボルト３５を外して確実に排水することができる。
【００４９】
以上詳述したことから明らかなように、本実施形態の外コーナーパネル２は、水抜き孔１３を開閉するための開閉部が、水抜き孔１３と同軸の雌ネジ部としてのナット１５と、面板部１０の外側面１２側からナット１５に着脱自在に螺合される雄ネジ部としてのボルト３５とを備えて構成される。
【００５０】
この構成によれば、ボルト３５を面板部１０の外側面１２側からナット１５に螺合して水抜き孔１３を閉じた状態で、ベタ基礎ベース部Ｂのコンクリート成形を行うことができる。一方、基礎型枠Ｋ内に水が溜まった場合、面板部１０の外側面１２においてナット１５からボルト３５を外して水抜き孔１３を開くことにより、基礎型枠Ｋ内の水を外部へ排出することができる。
【００５１】
また、ボルト３５は、ナット１５に螺合された足部３５ａの先端を面板部１０の内側面１１と面一になるように位置決め可能である。
【００５２】
この構成によれば、ボルト３５は、ナット１５に螺合された足部３５ａの先端が面板部１０の内側面１１と面一をなすので、ベース部Ｂの外周面に水抜き孔１３による突起状の成形痕が残ることがない。
【００５３】
［第１実施形態の第１変形例］
次に、第１実施形態の第１変形例である外コーナーパネル１’について図１１乃至図１４を参照しつつ説明する。第１実施形態では、開閉板３０を面板部１０に対してスライド可能に取り付ける構成としたが、本変形例では開閉板３０’をヒンジ１６により面板部１０へ回動可能に取り付けると共に、開閉板３０’に段部３６を設けて水抜き孔１３に嵌合させることを特徴としている。図１１は本変形例の外コーナーパネル１’を示す斜視図であり、開閉板３０’を閉位置でロックした状態を示している。図１２は外コーナーパネル１’において開閉板３０’を開位置へ回動させた状態を示す斜視図、図１３は外コーナーパネル１’を用いた基礎型枠Ｋにおける図５相当の断面図、図１４は基礎型枠Ｋにおいて開閉枠３０’を開位置に回動させて水抜き孔１３より水が排出される様子を示す断面図である。
【００５４】
本変形例において、開閉板３０’は、一方側の側端部がヒンジ１６を介して面板部１０の外側面１２に回動可能に取り付けられている。また、開閉板３０の他方の側端部側と面板部１０との間には、開閉板３０の開閉をロックするロック機構が設けられている。ロック機構は、ガイド部１７と、ロック棒１８と、ガイド部３７とを備えて構成される。すなわち、開閉板３０の外側面における他方の側端部寄りには、ロック棒１８を挿通可能な管状のガイド部３７が設けられると共に、外側面１２にも同様のガイド部１７が設けられている。そして、開閉板３０’を閉じた状態で、Ｌ字形のロック棒１８を面板部１０側のガイド部１７と開閉板３０側’のガイド部３７へロック棒１８とに挿通することにより、開閉板３０’の開閉がロックされる。また、開閉板３０’の内側面には、水抜き孔１３よりも僅かに小さい相似形の凸状をなす段部３６が、水抜き孔１３に対応する位置に設けられている。段部３６は、例えば、長円状の鋼板片を開閉板３０’の内側面に溶接接合することにより形成される。従って、開閉板３０を閉位置へ回動させると、水抜き孔１３が閉じられると共に段部３６が水抜き孔１３に嵌合する。
【００５５】
次に、本実施形態の外コーナーパネル１’を含んで構成される基礎型枠Ｋを用いてコンクリートのベタ基礎工事を行う場合の各部の作用について説明する。基礎型枠Ｋにおいて、開閉板３０’は面板部１０の外側面１２側へ閉じられ、ロック棒１８は面板部１０側のガイド部１７と開閉板３０側のガイド部３７へロック棒１８とに挿通されて開閉板３０の開閉がロックされている。この時、開閉板３０の内側面は面板部１０の外側面１２に密着し、段部３６は水抜き孔１３に嵌合している。
【００５６】
基礎型枠Ｋ内にコンクリートの流し込みが行われると、図１３に示すように、ベタ基礎ベース部Ｂが形成される。水抜き孔１３は外側面１２側が開閉板３０’によって閉じられているので、コンクリートが水抜き孔１３から外部へ流出することはない。また、段部３６が水抜き孔１３に嵌合して内側面１１と面一になっているので、ベース部Ｂの外周面に水抜き孔１３による突起状の成形痕が残ることがない。
【００５７】
図１３に示すベース部Ｂの養生期間中に降雨等があった場合、基礎型枠Ｋ内に水が溜まることがある。作業者は、図１４に示すように、ロック棒１８をガイド部１７，３７から引き抜いて開閉板３０’を開くと、本体部３１によって閉じられていた水抜き孔１３が開き、基礎型枠Ｋ内の水が水抜き孔１３を通して外部へ排出される。
【００５８】
以上詳述したことから明らかなように、本変形例の外コーナーパネル１’は、支持部としてのヒンジ１６は、水抜き孔１３を開く開位置と水抜き孔１３を閉じる閉位置との間で開閉板３０’を回動可能に支持する。
【００５９】
この構成によれば、開閉板３０’が、面板部１０の外側面１２においてヒンジ１６によって回動可能に支持されているので、開閉板３０’を閉位置に回動させて水抜き孔１３を閉じた状態で、ベタ基礎ベース部Ｂのコンクリート成形を行うことができる。一方、基礎型枠Ｋ内に水が溜まった場合、面板部１０の外側面１２において開閉板３０’を開位置に回動させて水抜き孔１３を開くことにより、基礎型枠Ｋ内の水を外部へ排出することができる。
【００６０】
また、開閉板３０’は、閉位置において水抜き孔１３に嵌合して面板部１０の内側面１１と面一をなす段部３６を備える。
【００６１】
この構成によれば、開閉板３０’の段部３６が閉位置において水抜き孔１３に嵌合して面板部１０の内側面１１と面一をなすので、ベース部Ｂの外周面に水抜き孔１３による突起状の成形痕が残ることがない。
【００６２】
［第１実施形態の第２変形例］
次に、第１実施形態の第２変形例である外コーナーパネル１’’について図１５乃至図１８を参照しつつ説明する。上記第１変形例では、開閉板３０’をヒンジ１６により面板部１０へ回動可能に取り付けると共に、開閉板３０’に段部３６を設けて水抜き孔１３に嵌合させる構成としたが、本変形例では第１実施形態と同様に開閉板３０’’を面板部１０に対してスライド可能に取り付ける構成としつつ、開閉板３０’’に段部３６を設けて水抜き孔１３に嵌合させることを特徴としている。図１５は、本変形例の外コーナーパネルを示す斜視図であり、開閉板３０’’及び補助板３３を外コーナーパネル１’’へ装着する様子を示している。図１６は、図１５における開閉板３０’’ 及び補助板３３をＸＶＩ矢視方向にて示す斜視図、図１７は図１５の基礎型枠Ｋにおいてベース部Ｂに水が溜まった状態を示す断面図、図１８は図１７の基礎型枠Ｋにおいて開閉板３０’’及び補助板３３を引き抜いて開位置とし、水抜き孔１３より水が排出される様子を示す断面図である。
【００６３】
本変形例では、第１実施形態の開閉板３０に代えて、開閉板３０’’及び補助板３３が設けられている。開閉板３０’’は、上下に長い長方形状の鋼板からなり、長方形板状の本体部３１と、本体部３１の内側面に設けられた段部３６とを有している。段部３６は、水抜き孔１３よりも僅かに小さい相似形の凸状をなし、水抜き孔１３に対応する位置に設けられている。段部３６は、例えば、長円状の鋼板片を本体部３１の内側面に溶接接合することにより形成される。
【００６４】
補助板３３は、第１実施形態の開閉板３０と同様に上下に長い長方形状の鋼板を折り曲げ加工してなり、長方形板状の本体部及び本体部上方で外側へ直角に折り曲げられた取っ手部とを有している。補助板３３は、開閉板３０’’の外側面側に重ねて装着され、ガイド部１４内面と開閉板３０’’との間の隙間を埋める役割を果たす。尚、本変形例において、ガイド部１４内面と外側面１２との間の隙間１４ｓは、第１実施形態よりも厚みが大きく、開閉板３０’’と補助板３３とを重ねた厚みとほぼ同等の厚さの隙間となっている。
【００６５】
開閉板３０’’及び補助板３３を装着する際、最初に開閉板３０’’を隙間１４ｓへ差し込んで下方へスライドさせると共に、内側面側に押し込んで段部３６を水抜き孔１３に嵌合させる。次に、補助板３３を開閉板３０’’の外側面側に重ねるようにして隙間１４ｓへ差し込み、下方へスライドさせる。これにより、開閉板３０’’及び補助板３３が、図１７に示すように、ガイド部１４内面と外側面１２とで挟持される。
【００６６】
次に、本実施形態の外コーナーパネル１’’を含んで構成される基礎型枠Ｋを用いてコンクリートのベタ基礎工事を行う場合の各部の作用について説明する。基礎型枠Ｋにおいて、開閉板３０’’及び補助板３３は、ガイド１４の隙間１４ｓへ差し込まれ、下限までスライドされている。この時、開閉板３０’’の内側面は面板部１０の外側面１２に密着すると共に、段部３６は水抜き孔１３に嵌合し、開閉板３０’’は閉位置となっている。
【００６７】
基礎型枠Ｋ内にコンクリートの流し込みが行われると、図１７に示すように、ベタ基礎ベース部Ｂが形成される。水抜き孔１３は外側面１２側が開閉板３０’’によって閉じられているので、コンクリートが水抜き孔１３から外部へ流出することはない。また、段部３６が水抜き孔１３に嵌合して内側面１１と面一になっているので、ベース部Ｂの外周面に水抜き孔１３による突起状の成形痕が残ることがない。図１７に示すように、ベース部Ｂの養生期間中に降雨等で基礎型枠Ｋ内に水が溜まったことがある。その場合、作業者は、図１８に示すように、最初に補助板３３を上方へ引き抜き、次いで開閉板３０’’を外側へずらして段部３６を水抜き孔１３から外しつつ上方へ引き抜いて開位置とすると、本体部３１及び段部３６によって閉じられていた水抜き孔１３が開き、基礎型枠Ｋ内の水が水抜き孔１３を通して外部へ排出される。
【００６８】
以上詳述したことから明らかなように、本変形例の外コーナーパネル１’’は、開閉板３０’’は、閉位置において水抜き孔１３に嵌合して面板部１０の内側面１１と面一をなす段部３６を備える。
【００６９】
この構成によれば、開閉板３０’’の段部３６が閉位置において水抜き孔１３に嵌合して面板部１０の内側面１１と面一をなすので、ベース部Ｂの外周面に水抜き孔１３による突起状の成形痕が残ることがない。
【００７０】
［第３実施形態］
次に、本発明の第３実施形態である側辺部用型枠パネル１０１について、図１９、図２０及び図２７を参照しつつ説明する。第１実施形態では、水抜き孔と、水抜き孔を開閉するための開閉部を外周外角部用の型枠パネルに設けた例を示したが、本実施形態は、これらの構成をベタ基礎の外周側辺部を形成する側辺部用型枠パネルに設けたことを特徴としている。図１９は第３実施形態の側辺部用型枠パネル１０１を示す正面図であり、図２０は側辺部用型枠パネル１０１を用いた基礎型枠Ｋを示す斜視図である。
【００７１】
側辺部用型枠パネル１０１は、コンクリートのベタ基礎工事において基礎型枠を構成する型枠パネルの一種であって、図２７に示すように、基礎型枠Ｋの外周において直線状をなす外周側辺部Ｓに配置される側辺部用の型枠パネルである。側辺部用型枠パネル１０１は、内側面１１１と外側面１１２とを有する鋼板からなる面板部１１０と、面板部１１０に対して縦横に設けられる桟材１２０とを備えて構成される。
【００７２】
面板部１１０には、少なくとも一部がコンクリートベタ基礎のベース部Ｂ天端高さに対応する位置で内側面１１１と外側面１１２との間を貫通する水抜き孔１１３が形成されている。より具体的には、水抜き孔１３は上下に長い長円状を呈する開口であって、側辺部用型枠パネル１０１のサイズやベース部Ｂ天端高さに応じて水抜き孔１１３の長さや位置が適宜設定される。
【００７３】
また、面板部１１０の外側面１１２には、水抜き孔１１３を挟む左右両側に上下に細長い板状のガイド部１１４が設けられている。ガイド部１１４は、平面視で僅かに湾曲しており、水抜き孔１１３とは反対側の側端から下端にかけて溶接されて面板部１１０の外側面１１２に固定されている。このため、ガイド部１１４と外側面１１２との間には、下端及び水抜き孔１１３とは反対側の側端が閉塞され、上端及び水抜き孔１１３側の側端とが開口する上下に長い隙間が形成されている。
【００７４】
横方向両端で縦向きに配置される桟材１２０には、上下方向の複数箇所に連結孔１２１が形成され、連結孔１２１で外コーナーパネルＣＰと連結用金具４０を介して連結が図られる。
【００７５】
開閉板１３０は、水抜き孔１１３を面板部１１０の外側面１１２側から開閉する部材であり、この開閉板１３０と上述したガイド部１１４とで本発明の開閉部を構成している。開閉板１３０は、上下に長い長方形状の鋼板を折り曲げ加工してなり、長方形板状の本体部１３１と、本体部１３１上方で外側へ直角に折り曲げられた取っ手部１３２とを有している。開閉板１３０は、作業者が取っ手部１３２を手で持ち、ガイド部１１４の空間部へ本体部１３１を上方から差し込むことによって面板部１１０の外側面１１２に装着される。ガイド部１１４の空間部は、開閉板１３０の厚みとほぼ同等の隙間をなしている。本体部１３１をガイド部１１４の空間部へ差し込んで上下方向にスライドさせることによってガイド部１１４内面と外側面１１２とで本体部１３１が挟持されるので、開閉板１３０はスライドした位置に保持される。尚、本実施形態の側辺部用型枠パネル１０１を含んで構成される基礎型枠Ｋの排水等における各部の作用については、上記第１実施形態と同様であるので、説明を省略する。
【００７６】
本実施形態によれば、ベタ基礎の外周側辺部を形成する側辺部用型枠パネル１０１により、基礎型枠Ｋ内に溜まった水を、ベタ基礎ベース部Ｂの中央部よりも天端が低い外周側辺部から外部へ排出するので、基礎型枠Ｋ内に水を残留させることなく排出することができると共に、上記第１実施形態と同様の効果を奏する。尚、側辺部用型枠パネル１０１は、基礎型枠の外周外角部Ｇ及び外周内角部Ｎを除く外周部の大半を構成する側辺部Ｓ用の型枠パネルであるため、基礎型枠外周における任意の位置に水抜き構造を設けることができる。
【００７７】
［第４実施形態］
次に、本発明の第４実施形態である側辺部用型枠パネル１０２について、図２１を参照しつつ説明する。第３実施形態では、水抜き孔１１３を開閉するための開閉部を開閉板１３０とガイド部１１４とで構成した例を示したが、本実施形態は、第２実施形態と同様に、開閉部をボルト１３５とナット１１５とで構成したことを特徴としている。図２１は側辺部用型枠パネル１０２を用いた基礎型枠Ｋを示す斜視図である。
【００７８】
本実施形態では、面板部１１０において、内側面１１１と外側面１１２とを貫通する丸穴である複数の水抜き孔１１３が、ベース部Ｂの天端高さに対応する範囲内で互いに異なる高さ位置に設けられている。そして、水抜き孔１１３を開閉する開閉部は、面板部１１０の外側面１１２に水抜き孔１１３と同軸で溶接等により固定されたナット１１５と、面板部１１０の外側面１１２側からナット１１５に着脱自在に螺合されるボルト１３５とを備えて構成される。尚、本実施形態の側辺部用型枠パネル１０２を含んで構成される基礎型枠Ｋの排水等における各部の作用については、上記第２実施形態と同様であるので、説明を省略する。
【００７９】
本実施形態によれば、ベタ基礎の外周側辺部を形成する側辺部用型枠パネル１０２により、基礎型枠Ｋ内に溜まった水を、ベタ基礎ベース部Ｂの中央部よりも天端が低い外周側辺部から外部へ排出するので、基礎型枠Ｋ内に水を残留させることなく排出することができると共に、上記第２実施形態と同様の効果を奏する。
【００８０】
［第３実施形態の第１変形例］
次に、本発明の第３実施形態の第１変形例である側辺部用型枠パネル１０１’について、図２２を参照しつつ説明する。第３実施形態では、開閉板１３０を面板部１１０に対してスライド可能に取り付ける構成としたが、本変形例では、第１実施形態の第１変形例と同様に、開閉板１３０’をヒンジ１１６により面板部１１０へ回動可能に取り付けると共に、開閉板１３０’に段部１３６を設けて水抜き孔１１３に嵌合させることを特徴としている。図２２は側辺部用型枠パネル１０１’を用いた基礎型枠Ｋを示す斜視図である。
【００８１】
本変形例において、開閉板１３０’は、一方側の側端部がヒンジ１１６を介して面板部１１０の外側面１１２に回動可能に取り付けられている。開閉板１３０の外側面における他方の側端部寄りには、ロック棒１１８を挿通可能な管状のガイド部１３７が設けられると共に、外側面１１２にも同様のガイド部１１７が設けられている。そして、開閉板１３０’を閉じた状態で、Ｌ字形のロック棒１１８を面板部１１０側のガイド部１１７と開閉板１３０’側のガイド部１３７とにロック棒１１８を挿通することにより、開閉板１３０’の開閉がロックされる。また、開閉板１３０’の内側面には、水抜き孔１１３よりも僅かに小さい相似形の凸状をなす段部１３６が、水抜き孔１１３に対応する位置に設けられている。従って、開閉板１３０’を閉位置へ回動させると、水抜き孔１１３が閉じられると共に段部１３６が水抜き孔１１３に嵌合する。尚、本実施形態の側辺部用型枠パネル１０１’を含んで構成される基礎型枠Ｋの排水等における各部の作用については、上記第１実施形態の第１変形例と同様であるので、説明を省略する。
【００８２】
本実施形態によれば、ベタ基礎の外周側辺部を形成する側辺部用型枠パネル１０１’により、基礎型枠Ｋ内に溜まった水を、ベタ基礎ベース部Ｂの中央部よりも天端が低い外周側辺部から外部へ排出するので、基礎型枠Ｋ内に水を残留させることなく排出することができると共に、上記第３実施形態の変形例と同様の効果を奏する。
【００８３】
［第３実施形態の第２変形例］
次に、本発明の第３実施形態の第２変形例である側辺部用型枠パネル１０１’’について、図２３、２４を参照しつつ説明する。第３実施形態では、開閉板１３０を面板部１１０に対してガイド板１１４を介してスライド可能に取り付ける構成としたが、本変形例では面板部１１０の外側面１１２に突設された回動ピン１１９を介して、開閉板１３０’を外側面１１２と平行にスライド回動可能に取り付けることを特徴としている。図２３は側辺部用型枠パネル１０１’’を用いた基礎型枠Ｋを示す正面図、図２４は図２３におけるＸＸＩＶ−ＸＸＩＶ線矢視方向の断面図である。
【００８４】
本変形例において、面板部１１０の外側面１１２には、回動ピン１１９が圧入等により固定されて突設されている。開閉板１３０’’は、楕円形の板状に形成され、長手方向の一端が回動ピン１１９によってスライド回動自在に軸支されている。すなわち、第３実施形態の第１変形例では外側面１１２と平行なヒンジ１１６の回転軸回りに開閉板１３０’がドア状に回動するのに対し、本変形例では回動ピン１１９が外側面１１２の法線方向の回転軸を有しており、開閉板１３０’’は回動ピン１１９を中心に外側面１１２の表面に沿ってスライド回動する。そして、開閉板１３０’’を最下位置にスライド回動させたとき、図２３及び図２４で実線にて示すように、水抜き孔１１３が外側面１１２側で閉じられた閉位置となる。一方、開閉板１３０’’を最上位置にスライド回動させたとき、図２３及び図２４で破線にて示すように、水抜き孔１１３が開かれた開位置となる。尚、本実施形態の側辺部用型枠パネル１０１’’を含んで構成される基礎型枠Ｋの排水等における各部の作用については、上記第１実施形態の変形例と同様であるので、説明を省略する。
【００８５】
［第５実施形態］
次に、本発明の第５実施形態である外周内角部用型枠パネル２０１について、図２５乃至図２７を参照しつつ説明する。第１実施形態では、水抜き孔と、水抜き孔を開閉するための開閉部を外周外角部用の型枠パネルに設けた例を示したが、本実施形態は、これらの構成をベタ基礎の外周内角部を形成する内コーナーパネルに設けたことを特徴としている。図２５は第５実施形態の内コーナーパネル２０１において開閉板２３０を開位置にスライドさせた状態を示す斜視図、図２６は図２５の内コーナーパネル２０１を用いた基礎型枠Ｋを示す斜視図、図２７は基礎型枠Ｋの全体を模式的に示す平面図である。
【００８６】
内コーナーパネル２０１は、コンクリートのベタ基礎工事において基礎型枠を構成する型枠パネルの一種であって、図２７に示すように、基礎型枠Ｋの外周において内側に凸となる角部（入隅部）である外周内角部Ｎに配置される内角部用の型枠パネルである。内コーナーパネル２０１は、図２５に示すように、コンクリートを成形するための面板部２１０と、隣接する側辺部用型枠パネルＢＰとの連結を図るための連結部２２０，２２０と、開閉板２３０とを備えて構成される。尚、面板部２１０と連結部２２０，２２０とは、鋼板を素材として曲げ加工を施すことにより一体的に形成されている。
【００８７】
面板部２１０は、内コーナーパネル２０１の横方向中央部分であって、ベタ基礎外周内部の形状に合わせて曲げ加工が施されている。面板部２１０は、図２５に示すように、横方向中心を挟む左右両側を外側へ直角に折り曲げて平面視Ｌ字形に形成されている。面板部２１０は、コンクリートに接する内側面２１１と、その反対側の外側面２１２とを有している。また、面板部２１０の上端と下端は横方向に桟が形成されている。面板部２１０には、少なくとも一部がコンクリートベタ基礎のベース部Ｂ天端高さに対応する位置で内側面２１１と外側面２１２との間を貫通する水抜き孔２１３が形成されている。より具体的には、水抜き孔２１３は上下に長い長円状を呈する開口であって、内コーナーパネル２０１のサイズやベース部Ｂ天端高さに応じて、水抜き孔２１３の長さや位置が適宜設定される。
【００８８】
また、面板部２１０の外側面２１２には、水抜き孔２１３を挟む左右両側に上下に細長い板状のガイド部２１４が設けられている。ガイド部２１４は、平面視で僅かに湾曲しており、水抜き孔２１３とは反対側の側端２１４ｃから下端２１４ｂにかけて溶接されて面板部２１０の外側面２１２に固定されている。このため、ガイド部２１４と外側面２１２との間には、下端２１４ｂ及び水抜き孔２１３とは反対側の側端２１４ｃが閉塞され、上端２１４ａ及び水抜き孔２１３側の側端２１４ｄとが開口する上下に長い隙間２１４ｓが形成されている。
【００８９】
連結部２２０は、面板部２１０の横方向両側で外側へ直角に折り曲げられて形成されている。連結部２２０には、上下方向の複数箇所に連結孔２２１が形成されている。図２６に示すように、連結孔２２１と側辺部用型枠パネルＢＰ側の連結孔と位置合わせし、第１実施形態と同じくＬ字状の連結用金具４０を挿通して締結部材で締結することで、内コーナーパネル２０１と側辺部用型枠パネルＢＰとの連結が図られる。
【００９０】
開閉板２３０は、水抜き孔２１３を面板部２１０の外側面２１２側から開閉する部材であり、この開閉板２３０と上述したガイド部２１４とで本発明の開閉部を構成している。開閉板２３０は、上下に長い長方形状の鋼板を折り曲げ加工してなり、長方形板状の本体部２３１と、本体部２３１上方で外側へ直角に折り曲げられた取っ手部２３２とを有している。開閉板２３０は、作業者が取っ手部２３２を手で持ち、ガイド部２１４の空間部へ本体部２３１を上方から差し込むことによって面板部２１０の外側面２１２に装着される。ガイド部２１４の空間部は、開閉板２３０の厚みとほぼ同等の隙間をなしている。本体部２３１をガイド部２１４の空間部へ差し込んで上下方向にスライドさせることによってガイド部２１４内面と外側面２１２とで本体部２３１が挟持されるので、開閉板２３０はスライドした位置に保持される。尚、本実施形態の内コーナーパネル２０１を含んで構成される基礎型枠Ｋの排水等における各部の作用については、上記第１実施形態と同様であるので、説明を省略する。
【００９１】
本実施形態によれば、ベタ基礎の外周内角部を形成する内コーナーパネル２０１により、基礎型枠Ｋ内に溜まった水を、ベタ基礎ベース部Ｂの中央部よりも天端が低い外周内角部から外部へ排出するので、基礎型枠Ｋ内に水を残留させることなく排出することができると共に、上記第１実施形態と同様の効果を奏する。
【００９２】
本発明は、上述した実施の形態に限定されるものではなく、本発明の主旨を逸脱しない範囲で種々に変更を施すことが可能である。例えば、上記第１実施形態では、水抜き孔１３を長円状とする例を示し、第２実施形態では丸穴とする例を示したが、水抜き孔の形状はこれらに限られるものではなく、三角形や四角形等の多角形状などを含む如何なる形状の孔をも採用可能である。また、上記第２実施形態では雌ネジ部としてナット１５を水抜き孔１３と同軸に設けた例を示したが、水抜き孔１３の内周に雌ネジを螺刻する構成としてもよい。また、上記実施形態では、ベタ基礎の外周外角部を形成する外角部用型枠パネル、外周内角部を形成する内角部用型枠パネル、又は外周側辺部を形成する側辺部用型枠パネルに本発明を適用した例を示したが、これら以外の用途の型枠パネルに適用してもよい。また、上記第３実施形態の第２変形例では、側辺部用型枠パネルに開閉板１３０’を回動ピン１１９により面板部１１０へスライド回動可能に取り付ける構成を設けたが、同様の構成を外角部用又は内角部用の型枠パネルに設けてもよい。すなわち、外角部用型枠パネル、内角部用型枠パネル、又は外周側辺部用型枠パネルの各実施形態及び変形例で示した水抜き孔の開閉構造を、実施形態間で相互に入れ替えて適用することが可能であることは云うまでもない。
【符号の説明】
【００９３】
１    外コーナーパネル（外角部用型枠パネル、第１実施形態）
１’  外コーナーパネル（外角部用型枠パネル、第１実施形態の第１変形例）
１’’  外コーナーパネル（外角部用型枠パネル、第１実施形態の第２変形例）
２    外コーナーパネル（外角部用型枠パネル、第２実施形態）
１０    面板部（第１実施形態と各変形例、第２実施形態）
１１    内側面（第１実施形態と各変形例、第２実施形態）
１２    外側面（第１実施形態と各変形例、第２実施形態）
１３    水抜き孔（第１実施形態と各変形例、第２実施形態）
１４    ガイド部（支持部）
１５    ナット（雌ネジ部）
１６    ヒンジ（支持部）
３０    開閉板（第１実施形態）
３０’  開閉板（第１実施形態の第１変形例）
３０’’  開閉板（第１実施形態の第２変形例）
３５    ボルト（雄ネジ部）
３５ａ  足部（第２実施形態）
３６    段部（第１実施形態の各変形例）
１０１    側辺部用型枠パネル（第３実施形態）
１０１’  側辺部用型枠パネル（第３実施形態の第１変形例）
１０１’’  側辺部用型枠パネル（第３実施形態の第２変形例）
１０２    側辺部用型枠パネル（第４実施形態）
１１０    面板部（第３実施形態と各変形例、第４実施形態）
１１１    内側面（第３実施形態と各変形例、第４実施形態）
１１２    外側面（第３実施形態と各変形例、第４実施形態）
１１３    水抜き孔（第３実施形態と各変形例、第４実施形態）
１１４    ガイド部（支持部）
１１５    ナット（雌ネジ部）
１１６    ヒンジ（支持部）
１１９    回動ピン（支持部）
１３０    開閉板（第３実施形態）
１３０’  開閉板（第３実施形態の第１変形例）
１３０’’  開閉板（第３実施形態の第２変形例）
１３５    ボルト（雄ネジ部）
１３５ａ  足部（第４実施形態）
１３６    段部（第３実施形態の第１変形例）
２０１    内コーナーパネル（内角部用型枠パネル、第５実施形態）
２１０    面板部（第５実施形態）
２１１    内側面（第５実施形態）
２１２    外側面（第５実施形態）
２１３    水抜き孔（第５実施形態）
２１４    ガイド部（支持部、第５実施形態）
２３０    開閉板（第５実施形態）
Ｂ    ベタ基礎ベース部
Ｋ    基礎型枠
Ｇ    外周外角部
Ｎ    外周内角部
Ｓ    外周側辺部
【図１】
2019039243.tif 000003
【図２】
2019039243.tif 000004
【図３】
2019039243.tif 000005
【図４】
2019039243.tif 000006
【図５】
2019039243.tif 000007
【図６】
2019039243.tif 000008
【図７】
2019039243.tif 000009
【図８】
2019039243.tif 000010
【図９】
2019039243.tif 000011
【図１０】
2019039243.tif 000012
【図１１】
2019039243.tif 000013
【図１２】
2019039243.tif 000014
【図１３】
2019039243.tif 000015
【図１４】
2019039243.tif 000016
【図１５】
2019039243.tif 000017
【図１６】
2019039243.tif 000018
【図１７】
2019039243.tif 000019
【図１８】
2019039243.tif 000020
【図１９】
2019039243.tif 000021
【図２０】
2019039243.tif 000022
【図２１】
2019039243.tif 000023
【図２２】
2019039243.tif 000024
【図２３】
2019039243.tif 000025
【図２４】
2019039243.tif 000026
【図２５】
2019039243.tif 000027
【図２６】
2019039243.tif 000028
【図２７】
2019039243.tif 000029